(57)【要約】外科、特に、口腔外科で使用される回転ツール用のコントラアングル・ハンドピースと称する駆動装置であって、ツールが固定されるハンドル１、首部２及び頭部３からなり、これら各部分は、その内部に、前記ハンドル１の入力軸４及び前記首部２の出力軸８とされる駆動軸をそれぞれ受け入れ、それらの軸を歯車機構２１によって互いに接続させるものにおいて、前記入力軸４及び出力軸８はスリーブを形成する本体に滑入させて搭載し、そして、前記ハンドル１を、前記首部２に連なる屈曲部内に収容する弾性要素１３により、前記スリーブ上に設ける接合部１１、１２で支持したことを特徴とする駆動装置。
2005531343.tif 000002
【特許請求の範囲】
【請求項１】
外科、特に、口腔外科で使用される回転ツール用のコントラアングル・ハンドピースと称する駆動装置であって、前記回転ツールが固定されるハンドル１、首部２及び頭部３からなり、これら各部分は、その内部に、前記ハンドル１の入力軸４及び前記首部２の出力軸８とされる駆動軸をそれぞれ受け入れ、それらの軸を歯車機構２１によって互いに接続させるものにおいて、前記入力軸４及び出力軸８はスリーブを形成する本体に滑入させて搭載し、そして、前記ハンドル１を、前記首部２に連なる屈曲部内に収容する弾性要素１３により、前記スリーブ上に設ける接合部１１、１２で支持したことを特徴とする駆動装置。
【請求項２】
請求項１に記載の駆動装置において、前記弾性要素１３を、前記歯車機構２１に関して同軸で搭載した圧縮ばねによって形成し、その一端を前記入力軸４に接続し、その一端が前記出力軸８に接続することを特徴とする駆動装置。
【請求項３】
請求項１または２に記載の駆動装置において、前記ハンドル１は、円筒状の本体を有し、その上に、移動可能かつ交換可能な接続部１４を配し、前記駆動モータの異なるタイプのコネクタと接続可能としてなることを特徴とする駆動装置。
【請求項４】
請求項１から３のいずれかに記載の駆動装置において、前記頭部３が、前記回転ツール着脱用のクイックカップリング・システムを備えることを特徴とする駆動装置。
【請求項５】
請求項４に記載の駆動装置において、前記クイックカップリング・システムは、弾性プラスチック製のクランプ１５からなり、該クランプ１５の大部分にわたって形成された縦溝により花冠のように開くことができ、また前記クランプ１５の外周は円錐台形に広くなる形状を有し、前記頭部３の本体内にマウントされた円筒状のスリーブ１６とともに動作するものであり、前記頭部の反対側端部は、押しボタン１７へネジにより固定されているが、軸方向に移動可能で、スプリング１９によってその休止位置に戻され、前記押しボタンが戻るときに、前記クランプが確実に締まるようにしてツールを固定し、また前記スプリング１９は、プラスチック製の回転する円筒状のスリーブ１６に対して付勢することを特徴とする駆動装置。
【請求項６】
請求項５に記載の駆動装置において、前記円筒状のスリーブ１６は、前記出力軸８に一体化した駆動クランクピン１０でかみ合う駆動部材をさらに含み、モータの回転移動をツールの往復回転運動へ変換することを特徴とする駆動装置。
【請求項７】
請求項１から５のいずれかに記載の駆動装置において、前記首部２及び前記ハンドル１の本体がプラスチック製であることを特徴とする駆動装置。
【請求項８】
請求項７に記載の駆動装置において、前記首部２及び前記ハンドル１の本体を、ネジタイプの解放可能な固定手段によって互いに接続してなることを特徴とする駆動装置。
【請求項９】
請求項７に記載の駆動装置において、前記首部２及び前記ハンドル１の本体を、溶接によって互いに接続してなることを特徴とする駆動装置。
【発明の詳細な説明】
【技術分野】
【０００１】
本発明は、外科、特に、口腔外科で使用される回転ツール用のコントラアングル・ハンドピースと称される駆動装置の改善に関する。
【背景技術】
【０００２】
そのようなコントラアングル・ヘッドピースと称される駆動装置は、歯科用の回転ツールを固定するヘッドを支持するための円筒状や円錐形をした外形部の前部あるいは首部と、ほぼ円錐形状及び／又は円錐形状の後部とから一般に構成される。
【０００３】
この装置はハンドル状で、歯科用の駆動モータへの機械的な接続手段を含み、そして、モータへの接続端とは反対側の端部で首部に接続し、首部の軸はハンドルの軸と交差し、屈曲すなわちコントラアングルを形成するように、ハンドルの軸に対しておよそ２０度の角度をなす位置を取る。さらに、歯科用の回転ツールの軸は、首部の軸に垂直である。
【０００４】
ハンドル、首部及び頭部からなるこのアセンブリーは、リンク機構を含む。その目的は、歯科用の回転ツールにモータ軸の回転を速度を増減させて伝えることである。
【０００５】
このコントラアングル構造において、前記リンク機構も、３つの部分から構成される。すなわち、ハンドル中で配した第１の部分、首部中の第２の部分、そして頭部中の第３の部分である。この３番目の部分も着脱可能でも着脱不能でもいずれでもよい。歯科用ツールを回転駆動でき、かつ頭部の軸に沿ってツールが移動するのを止めるための手段だからである。
【０００６】
概して、回転移動は、その位置が非常に重要な非平行の軸を有するギヤを経由して、これらの異なる部分間で伝えられるが、コントラアングル・ハンドピースの耐用年数の点（ピニオンの交換時期尚が早まる不良のポジショニング）と、そして患者、及び口腔外科医の快適さの点（過度のノイズが生じる不適当なポジショニング）が、回転速度が現在は４００００ｒｐｍであるという事実を考慮すると問題になる。
【０００７】
したがって、リンク機構の各構成部分のポジショニングは、一般に、各部分がコントラアングル・ハンドピース（ハンドル、首、頭）のそれぞれの部分に固定され、一体の本体を形成し、独立したサブユニットを構成する。
【０００８】
そのような装置は満足できるものであるが、リンク機構の要素を固定する手段は複雑で、したがってそれらの交換により機能を回復することは、非専門家には事実上不可能である。
【発明の開示】
【発明が解決しようとする課題】
【０００９】
本発明の目的は、そのような装置の改善を提供することであり、リンク機構のアセンブリーのために経済的な解決手段を提案することにより、前述の問題のすべてあるいはいくつかを解決し、また、ある機能を非専門家によって置換可能にすることである。
【課題を解決するための手段】
【００１０】
この目的のために、本発明は、ツールが固定されるハンドル、首部及び頭部からなり、外科、特に口腔外科に外科の中で使用される回転ツールのために、特にコントラアングル・ハンドピースと称される駆動装置を提供する。このコントラアングル・ハンドピースの各部分は、その内部で、ハンドルの入力軸及び首の出力軸とされる駆動軸をそれぞれ受け入れる。これらのシャフトは歯車機構によって互いに接続される。この装置の入力軸及び出力軸はスリーブを形成する本体に滑入させて搭載され、接合部上に支持され、そして、首部にハンドル部を接続する屈曲部に収容された単一の弾性要素によって対応するスリーブ上に配される。
【００１１】
本発明によれば、弾性要素は、歯車機構に関して同軸でマウントされた圧縮ばねによって形成され、その一端を入力軸に接続し、他端を出力軸に接続する。
【００１２】
また本発明によれば、装置のハンドルを円筒状に形でき、移動可能かつ交換可能な接続部分とされ、駆動モータが異なるタイプのコネクタと接続することを可能にする。さらに本発明によれば、装置の頭部は、ツールを迅速に着脱するためのカップリングシステムを装備している。
【００１３】
本発明の実施例によれば、このクイックカップリング・システムは、弾性のプラスチック材で作られていたクランプからできている。その自由端は、その大部分を横切って形成された縦溝で花冠のように開くことができる。また、その外周部は円錐台形状に広がり、頭部の本体部内に搭載された円筒状のスリーブとともに動作する。またその反対側端部は、軸方向に移動可能かつ休止位置へ戻るようにスプリングで付勢して設けられた押しボタンへネジ止め固定してある。そのため押しボタンの戻り時にクランプは締められる。そして、したがって、ツールは固定され、プラスチック製の回転円筒状のスリーブをスプリングが付勢する。
【発明の効果】
【００１４】
本発明によれば、クイックカップリング・システムの円筒状のスリーブは、出力軸に一体のクランクピンとかみ合う駆動部材を含み、モータの一方向への回転をツールの交互回転に変換することを確実なものとする。
【００１５】
また本発明によれば、首部の本体及びハンドルはプラスチック製で、ネジタイプの解放可能な固定手段によって互いに接続される。
【００１６】
さらに本発明によれば、首の本体及びハンドルの本体は、溶接によって互いに接続される。
【発明を実施するための最良の形態】
【００１７】
本発明の上述の特性及び他の特性は、以下に説明する具体例と図面の記載により明らかになるであろう。
【実施例１】
【００１８】
図１は、本発明に係るコントラアングル・ハンドピースの縦断面図、また図２は、代替的な具体例を示す図１相当の図である。
【００１９】
図１及び２は、ツールが固定されるハンドル１、首部２及び頭部３からなる歯科用のコントラアングル・ハンドピースを示す。このコントラアングル・ハンドピースの各部分は、ツールへモータの回転動を伝動して駆動するため、それらの内部にリンク機構の１つ以上の要素を備えている。
【００２０】
ハンドル１は、例えば、駆動軸又は入力軸４を含むアセンブリーを備え、駆動軸（図示しない）と係合する。そして、もう一方の端部に、首部２の運動要素に回転を伝える駆動ピニオン５を備えている。
【００２１】
ピニオン５と駆動軸の間に、図２に示すように、伝達する速度を増減させ得る要素６を備える点に留意すべきである。
【００２２】
首部２自体は、与えられる伝動軸、すなわち出力軸８を被駆動ピニオン９とともにその一端に受け入れる。被駆動ピニオン９は、ハンドル１の駆動軸４の駆動ピニオン５とかみ合い、そして、首部２の他端には、頭部３をなすモジュールへの動力を伝えるための要素を備える。この要素は、好ましくはクランクピン・タイプのもの、あるいはピニオン、あるいは摩擦車である。
【００２３】
本発明によれば、装置の入力軸４及び出力軸８は、スリーブを形成するそれぞれの本体に滑らせて入れるようにしてマウントする。またこれらは、それらの対応するスリーブ上に配した接合部１１、１２で支持する。この支持は、単一の弾性要素１３による。弾性要素１３は、首部２にハンドル１を接続する屈曲部に収容する。
【００２４】
このような弾性要素１３は、リンク機構の伝動要素を正確に位置させることを確実にする。首部２及びハンドル１の本体は、プラスチック製で、ネジタイプの解放可能な固定手段によって互いに接続される。あるいは互いに溶接してもよい。
【００２５】
弾性要素１３は、例えば、歯車機構をなす駆動ピニオン５及び被駆動ピニオン９と同軸でマウントされた圧縮ばねによって形成される。
【００２６】
図示するように、一端を入力軸４に、他端を出力軸８に装着する。ハンドル１は、好ましくは円筒状の本体によって形成する。ハンドル１の本体には、可動かつ交換可能な接続部１４を配置する。図示のように接続部１４は、駆動モータ（図示しない）への異なるタイプのコネクタとの接続を許す。
【００２７】
装置の頭部３には、ツール用にクイックカップリング・システムがさらに設けてある。
【００２８】
このクイックカップリング・システムは、弾性プラスチック材で作られたクランプ１５によって形成される。プラスチック材の自由端は、その本体の大部分上に形成された縦の溝により花冠のように開くことができる。また、その外周の拡開円錐台形部分は、頭部３の本体内にマウントされた円筒状のスリーブ１６とともに動作する。頭部３の反対側端部は、押しボタン１７へネジにより固定されているが、軸方向に移動可能で、スプリング１９によってその休止位置に戻され、したがって、押しボタンが戻るときにクランプが確実に締まるようになっている。そして、押しボタン１７から遠い側の端部で頭部に形成されている開口１８を介して導入されるときにツールが固定される。スプリング１９は、プラスチック製の回転する円筒状のスリーブ１６に対して付勢する。
【００２９】
この円筒状のスリーブ１６は、出力軸８に一体化した駆動クランクピン１０でかみ合う駆動部材をさらに含む。したがって、モータの回転移動がツールの往復回転運動へ変換される。
【００３０】
外科的に、特に口腔外科で使用されるコントラアングル・ハンドピースと称される回転ツールの駆動装置の機能は、上記記述から既に明白であるが、以下で詳細に説明する。
【００３１】
本発明の装置、すなわちコントラアングル・ハンドピースは、適切な接続ピース１４によって駆動モータに接続される。第１列２０は、第２列２１によって、首部の出力軸を駆動するハンドルの入力軸４を駆動する。そして最後に、第３列２２によって、装置の頭部中に装備したクランプで回転ツールを一体化する。
【００３２】
第２列２１に関して同軸に配した弾性要素１３は、装置の入力軸４と出力軸８中の接合部１１、１２のそれぞれに対する正確なポジショニングを確保する。これらの接合部１１、１２は、ハンドル１及び首部２の本体と対面するようにしてマウントされる。そしてシャフトは、装置、すなわちハンドルと首部を接続する屈曲部位からのみそれぞれの本体に嵌めることができる。
【００３３】
上記の記述から、本発明に係る装置あるいは器具が比較的簡単に製造でき、そして回転の伝達に使用可能なこと、また経済的な設計であり、従来のコントラアングル・ハンドピース装置と比較して組み立てやすいことが認識できるであろう。
【００３４】
また、さらに非専門家でも使用済みや欠陥ができたパーツを容易かつ単純に交換可能にすることも理解できるであろう。
【００３５】
本発明の２つの特別な具体例に関して記述したが、本発明は、記述された手段の技術的な均等物をすべて包含する。
【図面の簡単な説明】
【００３６】
【図１】本発明に係るコントラアングル・ハンドピースの縦断面図である。
【図２】代替的な具体例を示す図１相当の図である。
【符号の説明】
【００３７】
１    ハンドル
２    首部
３    頭部
４    入力軸
５    駆動ピニオン
６    伝達する速度を増減させ得る要素
８    出力軸
９    被駆動ピニオン
１０    駆動クランクピン
１１、１２    接合部
１３    弾性要素
１４    接続部
１５    クランプ
１６    円筒状のスリーブ
１７    押しボタン
１８    開口
１９    スプリング
２０    第１列
２１    第２列
２２    第３列
【図１】
2005531343.tif 000003
【図２】
2005531343.tif 000004
【国際調査報告】
2005531343.tif 000005
2005531343.tif 000006
2005531343.tif 000007
2005531343.tif 000008
2005531343.tif 000009
2005531343.tif 000010